(57)【要約】【課題】楔を使用して横材や斜材を足場支柱に連結する足場部材の連結金具であって、落し込まれる楔が斜行することがない足場部材の連結金具を提供する。【解決手段】連結金具１を、足場部材Ｐの端部に取り付けられる基部１０と、基部１０の上端から延出しており、ブラケットの上端にあてがわれる上取付片２０と、基部１０の下端から延出しており、ブラケットの下方に位置させる下取付片と、上取付片２０及び下取付片をそれぞれ貫通している上孔部２５及び下孔部と、上取付片２０と下取付片との間で、基部１０から突出している突出部１４と、上孔部２５及び下孔部に挿脱可能で、上方に向かって厚みが増すテーパ状を呈している楔５０と、楔５０の基部１０側で上下方向に延びており、突出部１４を摺動自在に内嵌させる凹状の長溝部５４とを、具備する構成とする。【選択図】図４
2015048677.tif 000002
【特許請求の範囲】
【請求項１】
外周面に横断面コ字形のブラケットが設けられた足場支柱に、横材または斜材としての足場部材を連結する足場部材の連結金具であって、
前記足場部材の端部に取り付けられる基部と、
該基部の上端から延出しており、ブラケットの上端にあてがわれる上取付片と、
前記基部の下端から延出しており、ブラケットの下方に位置させる下取付片と、
前記上取付片及び前記下取付片をそれぞれ貫通している上孔部及び下孔部と、
前記上取付片と前記下取付片との間で、前記基部から突出している突出部と、
前記上孔部及び前記下孔部に挿脱可能で、上方に向かって厚みが増すテーパ状を呈している楔と、
該楔の前記基部側で上下方向に延びており、前記突出部を摺動自在に内嵌させる凹状の長溝部と
を具備することを特徴とする足場部材の連結金具。
【請求項２】
前記上取付片は、
横断面コ字形を呈している三つの側面部を有していると共に、対向している一対の前記側面部が前記基部に固着されており、
対向している一対の前記側面部それぞれの下端の一部から下方に突出しており、ブラケットの内部に挿入される一対の突片を有しており、
三つの前記側面部の下端は、前記突片を除き略同一面上にある
ことを特徴とする請求項１に記載の足場部材の連結金具。
【請求項３】
横材または斜材としての足場部材が、外周面に横断面コ字形のブラケットが設けられた足場支柱に連結金具によって連結されている足場部材の連結構造であって、
前記連結金具は、
前記足場部材の端部に取り付けられている基部、
該基部の上端から延出しており、ブラケットの上端に当接している上取付片、
前記基部の下端から延出しており、ブラケットの下方に位置している下取付片、
前記上取付片及び前記下取付片をそれぞれ貫通している上孔部及び下孔部、
前記上取付片と前記下取付片との間で、前記基部から突出している突出部、
前記上孔部及び前記下孔部に挿脱可能で、上方に向かって厚みが増すテーパ状を呈している楔、及び、
該楔の前記基部側で上下方向に延びており、前記突出部を摺動自在に内嵌させている凹状の長溝部を有しており、
前記楔が、前記上孔部及び前記下孔部を貫通しており、
前記突出部が、前記長溝部の内部に位置している
ことを特徴とする足場部材の連結構造。
【請求項４】
前記上取付片は、
横断面コ字形を呈している三つの側面部を有し対向している一対の前記側面部が前記基部に固着されていると共に、
対向している一対の前記側面部それぞれの下端の一部から下方に突出している一対の突片を有しており、
前記上取付片において対向している一対の前記側面部間の距離は、前記ブラケットの開口幅と略同一であり、前記取付片の下端は、前記突片を除き前記ブラケットの上端に載置されていると共に、前記上取付片の前記突片は前記ブラケットの内部に挿入されている
ことを特徴とする請求項３に記載の足場部材の連結構造。
【発明の詳細な説明】
【技術分野】
【０００１】
本発明は、楔を使用して、横材（水平材）や斜材を足場支柱に連結する足場部材の連結金具、及び、該連結金具を使用した足場部材の連結構造に関するものである。
【背景技術】
【０００２】
住宅やビル等の建物、橋梁やトンネル等の土木構造物の建築現場では、手摺り等の横材あるいは筋交い等の斜材を足場支柱に連結するために、横材や斜材の端部に取り付けられた、楔を有する連結金具が使用されている。これは、足場支柱の外周面に固定された横断面コ字形のブラケットに楔を挿入することにより、横材や斜材を足場支柱に連結するものである。
【０００３】
具体的には、図７に示すように、従来の一般的な連結金具１００は、足場支柱に連結される横材や斜材などの足場部材Ｐの端部に固着された基部１１０と、基部の上端から延出している上取付片１２０と、基部の下端から延出している下取付片１３０とを備えており、上取付１２０片及び下取付片１３０には、それぞれ楔１５０を挿通させるための貫通した孔部１２５，１３５が設けられている。楔１５０は上方に向かって厚くなるテーパ状であり、下端には、下取付片１３０の孔部１３５は通過するが上取付片１２０の孔部１２５は通過しないストッパ１５７が、側面から突設されている。
【０００４】
このような構成の連結金具１００で足場部材Ｐを足場支柱に連結する際は、上取付片１２０を足場支柱Ｐのブラケットの上端にあてがい、下取付片１３０をブラケットの下方に位置させた状態で、孔部１２５，１３５に楔１５０を落とし込む。これにより、上取付片１２０及び下取付片１３０それぞれの孔部１２５，１３５を挿通した楔１５０と基部１１０との間にブラケットが挟持されて連結金具１００がブラケットに固定されるため、連結金具１００及びブラケットを介して、足場部材Ｐを足場支柱に連結することができる。なお、図７の例では、上取付片１２０は下向きの鉤状を呈しており、ブラケットの上端に当接すると共に、先端がブラケットの内部に挿し込まれることにより、ブラケットに引掛けられる構成である。
【０００５】
しかしながら、上記の従来の連結金具１００では、楔１５０を落とし込む作業の際に、楔１５０が斜めになって下取付片１３０の孔部１３５から外れてしまうことがあり、作業効率が悪いという問題があった。
【発明の概要】
【発明が解決しようとする課題】
【０００６】
そこで、本発明は、上記の実情に鑑み、楔を使用して横材や斜材を足場支柱に連結する足場部材の連結金具であって、落し込まれる楔が斜行することがない足場部材の連結金具、及び、該連結金具を使用した足場部材の連結構造の提供を、課題とするものである。
【課題を解決するための手段】
【０００７】
上記の課題を解決するため、本発明にかかる足場部材の連結金具（以下、単に「連結金具」と称することがある）は、「外周面に横断面コ字形のブラケットが設けられた足場支柱に、横材または斜材としての足場部材を連結する足場部材の連結金具であって、前記足場部材の端部に取り付けられる基部と、該基部の上端から延出しており、ブラケットの上端にあてがわれる上取付片と、前記基部の下端から延出しており、ブラケットの下方に位置させる下取付片と、前記上取付片及び前記下取付片をそれぞれ貫通している上孔部及び下孔部と、前記上取付片と前記下取付片との間で、前記基部から突出している突出部と、前記上孔部及び前記下孔部に挿脱可能で、上方に向かって厚みが増すテーパ状を呈している楔と、該楔の前記基部側で上下方向に延びており、前記突出部を摺動自在に内嵌させる凹状の長溝部とを具備する」ものである。
【０００８】
「基部」は、足場部材の端部に溶接等により固着される部分であり、角板状、円板状とすることができる。また、足場部材の端部を挿入させ、挿入後に溶接等により足場部材の端部に固着される管状の部分を、基部が有するものであってもよい。
【０００９】
「上取付片」としては、横断面コ字形でコ字の開端が基部に固着されており、コ字の内部空間が上孔部である構成、平板状で上孔部が穿設されている構成、平板状で上孔部が穿設されており、先端側が下方に向かって鉤状に屈曲してブラケットに挿し込まれる部分となっている構成、を例示することができる。
【００１０】
「下取付片」としては、横断面コ字形でコ字の開端が基部に固着されており、コ字の内部空間が下孔部である構成、平板状で下孔部が穿設されている構成、を例示することができる。なお、「上取付片」及び「下取付片」は、横断面コ字形の鋼材の中間部分をコ字の開端に至ることなく切り欠くことにより、一体に形成することもできる。
【００１１】
「突出部」の形状は特に限定されるものではなく、横断面を四角形や円形とすることができる。また、基部に沿って上下に延びた突条とすることもできる。
【００１２】
長溝部が突出部を「摺動自在に内嵌させる」とは、長溝部の幅が突出部の幅より僅かに広い状態を指している。これにより、突出部は長溝部の内部を相対的に摺動自在である。
【００１３】
楔には、連結金具が足場部材を足場支柱に連結していない状態で、楔が上孔部より上方に抜け出すことを防止するためのストッパを設けることができる。かかるストッパとしては、上孔部を通過しない大きさの突起を楔の下端側において外方に向けて突出させた構成、長溝部の下端を閉端とした構成、長溝部の下端側において内側面から突起を突出させた構成、を例示することができる。また、楔には、上孔部および下孔部を挿通した楔が下方へ抜け落ちることを防止するためのストッパを設けることができる。かかるストッパとしては、楔の上端側において上孔部を通過しない大きさの突起を外方に向けて突出させた構成、長溝部の上端側において内側面から突起を突出させた構成、長溝部の上端を閉端とした構成、楔の上端側で楔の外形を外方に膨出させた構成、を例示することができる。
【００１４】
上記構成により、上取付片の上孔部、及び下取付片の下孔部を貫通するように楔が落とし込まれたとき、基部から突出している突出部が、楔に設けられた凹状の長溝部の内部を相対的に摺動する。これにより、楔の進行方向が、長溝部が延びている上下方向に、突出部によって案内されるため、楔が斜行することがない。したがって、楔が下取付片の孔部から外れてしまうことがなく、足場部材を連結する作業効率を向上させることができる。
【００１５】
本発明にかかる連結金具は、上記構成に加えて、「前記上取付片は、横断面コ字形を呈している三つの側面部を有していると共に、対向している一対の前記側面部が前記基部に固着されており、一対の前記側面部それぞれの下端の一部から下方に突出しており、ブラケットの内部に挿入される一対の突片を有しており、三つの前記側面部の下端は、前記突片を除き略同一面上にある」ものとすることもできる。
【００１６】
上取付片が、「横断面コ字形を呈している三つの側面部を有していると共に、対向している一対の前記側面部が前記基部に固着されている」構成としては、上取付片が三つの側面部のみを有し、対向している一対の側面部が直接基部に固着されている構成、上取付片が四つの側面部を有する横断面四角形であり、そのうちの一つの側面部が基部に固着されていることにより、残る三つの側面部のうち対向している一対の側面部が間接的に基部に固着されている構成、を例示することができる。
【００１７】
「突片」としては、鋼材片が溶接等によって上取付片に取り付けられた構成、或いは、上取付片の下端を切削して一部を突状とした構成を例示することができる。突片の形状としては、下方に向かって厚さが減少しているテーパ状、厚さが一定の平板状、を例示することができる。
【００１８】
ところで、図７を用いて上述した従来の連結金具１００では、上取付片１２０は下向きの鉤状を呈しており、その先端がブラケットの内部に挿し込まれてブラケットに引掛けられる構成であるため、ブラケットの開口幅に対する上孔部１２５のスペースの幅は上取付片１２０によって狭められ、必然的に楔１５０の幅は、ブラケットの開口幅に比べてかなり小さくなってしまう。そのため、連結金具１００で足場部材Ｐを足場支柱に連結した状態で、楔１５０の外側面とブラケットの内周面との間の空隙が大きく、楔１５０ががたつきやすいという問題があった。
【００１９】
これに対し、本構成では、三つの前記側面部の下端が突片を除いて略同一面上にあるので、従来の連結金具とは異なり、上取付片を上孔部の内部に挿し込むことなく、ブラケットの上端に載置することが可能となる。これにより、上孔部のスペースの幅、すなわち、上取付片において対向している一対の側面部間の距離を、ブラケットの開口幅にほぼ等しく設定することが可能となり、ひいては、楔の幅をブラケットの開口幅近くまで広く設定することができる。その結果、楔の外側面とブラケットの内周面との接触によって楔の横ずれを抑制し、楔のがたつきを低減することが可能となる。
【００２０】
一方、上取付片をブラケットの上端に載置する構成とした場合、楔が上孔部及び下孔部を貫通していない状態、例えば、足場部材を足場支柱に連結する作業の途中や、足場部材を足場支柱から取り外す作業の途中では、上取付片がブラケットの上端に載置された状態が不安定となるおそれがある。これに対し、本構成では、ブラケットに上取付片を載置した状態で、上取付片の側面部の下端の一部から突出している突片がブラケットの内部に挿通される。これにより、上取付片に対してブラケットの上端から外そうとする方向の外力が作用した際、ブラケットの上端の内周面に突片が引掛かるため、上取付片がブラケットから落下しにくい。従って、楔が上孔部及び下孔部を貫通していない状態で、足場支柱に対して足場部材を仮留めすることができるため、上取付片をブラケットの上端に載置する構成とすることに起因して、足場部材を足場支柱に連結する作業や足場部材を足場支柱から取り外す作業効率が低下するおそれを、低減することができる。
【００２１】
なお、上取付片において下端から突片が突出している側面部は、三つの側面部のうち対向している一対の側面部であり、基部に隣接する側面部である。従って、楔と、基部及びその近傍との間でブラケットを挟持する作用は、突片の存在によって影響を受けることがない。
【００２２】
次に、本構成にかかる足場部材の連結構造（以下、単に「連結構造」と称することがある）は、「横材または斜材としての足場部材が、外周面に横断面コ字形のブラケットが設けられた足場支柱に連結金具によって連結されている足場部材の連結構造であって、連結金具は、前記足場部材の端部に取り付けられている基部、該基部の上端から延出しており、ブラケットの上端に当接している上取付片、前記基部の下端から延出しており、ブラケットの下方に位置している下取付片、前記上取付片及び前記下取付片をそれぞれ貫通している上孔部及び下孔部、前記上取付片と前記下取付片との間で、前記基部から突出している突出部、前記上孔部及び前記下孔部に挿脱可能で、上方に向かって厚みが増すテーパ状を呈している楔、及び、該楔の前記基部側で上下方向に延びており、前記突出部を摺動自在に内嵌させている凹状の長溝部を有しており、前記楔が、前記上孔部及び前記下孔部を貫通しており、前記突出部が、前記長溝部の内部に位置している」ものである。
【００２３】
本連結構造では、楔が上孔部及び下孔部を貫通して、足場部材が足場支柱に連結された状態で、突出部が長溝部の内周面に当接することで楔の横ずれが抑制されるため、楔のがたつきが有効に抑制されている。
【００２４】
本発明にかかる足場部材の連結構造は、上記構成に加え、「前記上取付片は、横断面コ字形を呈している三つの側面部を有し対向している一対の前記側面部が前記基部に固着されていると共に、対向している一対の前記側面部それぞれの下端の一部から下方に突出している一対の突片を有しており、前記上取付片において対向している一対の前記側面部間の距離は、前記ブラケットの開口幅と略同一であり、前記取付片の下端は、前記突片を除き前記ブラケットの上端に載置されていると共に、前記上取付片の前記突片は前記ブラケットの内部に挿入されている」ものとすることができる。
【００２５】
上述した従来の連結金具１００を使用した連結構造では、ブラケットの開口幅に対する上孔部１２５のスペースの幅は上取付片１２０によって狭められており、楔１５０の幅は、ブラケットの開口幅に比べてかなり小さいものとならざるを得なかった。
【００２６】
これに対して、本構成の足場部材の連結構造では、上取付片において対向している一対の側面部間の距離は、ブラケットの開口幅と略同一であり、上取付片がブラケットの上端に載置されている。そのため、楔の幅を上取付片において対向している一対の側面部間の距離より僅かに小さいものとすれば、楔の幅はブラケットの開口幅に近い大きさとなる。これにより、本構成の連結構造では、楔の外側面とブラケットの内周面の当接によって楔の横ずれを抑制することができ、楔のがたつきを低減することができる。
【発明の効果】
【００２７】
以上のように、本発明の効果として、楔を使用して横材や斜材を足場支柱に連結する足場部材の連結金具であって、落し込まれる楔が斜行することがない足場部材の連結金具、及び、該連結金具を使用した足場部材の連結構造を提供することができる。
【図面の簡単な説明】
【００２８】
【図１】本発明の第一実施形態である連結金具の（ａ）斜視図、及び、（ｂ）正面図である。
【図２】図１の連結金具について（ａ）楔を仮置きした状態、及び、（ｂ）楔を挿入する段階、それぞれの縦断面図である。
【図３】図１の連結金具を使用して（ａ）足場部材を足場支柱に仮留めした状態、及び、（ｂ）足場部材を足場支柱に連結した状態、それぞれの側面図である。
【図４】Ｘ−Ｘ切断線端面図である。
【図５】本発明の第二実施形態である連結金具について、（ａ）楔を仮置きした状態、及び、（ｂ）楔を挿入した状態、それぞれの斜視図である。
【図６】図５の連結金具についてａ）楔を仮置きした状態、及び、（ｂ）楔を挿入する段階、それぞれの縦断面図である。
【図７】従来の連結金具の斜視図である。
【発明を実施するための形態】
【００２９】
以下、本発明の第一実施形態である連結金具１、及び、連結金具１を使用した連結構造について、図１乃至図４を用いて説明する。ここでは、横材としての足場部材Ｐを足場支柱Ｐ２に連結する連結金具１に、本発明を適用した場合を例示する。
【００３０】
第一実施形態の連結金具１は、外周面に横断面コ字形のブラケット７０が設けられた足場支柱Ｐ２に、足場部材Ｐを連結する連結金具１であって、足場部材Ｐの端部に取り付けられる基部１０と、基部１０の上端から延出しており、ブラケット７０の上端にあてがわれる上取付片２０と、基部１０の下端から延出しており、ブラケット７０の下方に位置させる下取付片３０と、上取付片２０及び下取付片３０をそれぞれ貫通している上孔部２５及び下孔部３５と、上取付片２０と下取付片３０との間で、基部１０から突出している突出部１４と、上孔部２５及び下孔部３５に挿脱可能で、上方に向かって厚みが増すテーパ状を呈している楔５０と、楔５０の基部１０側で上下方向に延びており、突出部１４を摺動自在に内嵌させる凹状の長溝部５４とを具備している。
【００３１】
より詳細に説明すると、第一実施形態では、基部１０は角板状である。また、上取付片２０及び下取付片３０は、それぞれ横断面コ字形を呈している三つの側面部を有していると共に、対向している一対の側面部が基部１０に固着されている。そして、横断面コ字形の上取付片２０及び下取付片３０において、コ字の内部空間が、それぞれ上孔部２５及び下孔部３５を構成している。本実施形態では、上取付片２０及び下取付片３０は、横断面コ字形の鋼材が中間部分でコ字の開端に至ることなく切り欠かれることにより、一体に形成されたものであり、上取付片２０及び下取付片３０と側面視で略コ字形を形成すると共に基部１０に固着された接続片４０によって、上取付片２０と下取付片３０とが接続されている。
【００３２】
ここで、上取付片２０において対向している一対の側面部２１間の距離は、連結対象のブラケット７０の開口幅と、略同一に設定されている。
【００３３】
上取付片２０は、対向している一対の側面部２１それぞれの下端の一部から下方に突出しており、ブラケット７０の内部に挿入される一対の突片２７を有している。第一実施形態の突片２７は、下方に向かって厚さが減少すると共に、外側面が内側に向かって傾斜しているテーパ状となっている。そして、上取付片２０の下端は、突片２７を除き略同一面上にある。
【００３４】
突出部１４は、図４に示すように、横断面が略四角形のブロック状である。また、図２に示すように、突出部１４は先端が上方に向かって屈曲するように延出した鉤状を呈していると共に、突出部１４の先端は基部１０の上端より低く位置している。
【００３５】
楔５０は、図４に示すように、上取付片２０において対向している一対の側面部２１の内周面間の距離より、僅かに小さい幅を有している。楔５０には、上下方向に延びる凹状の長溝部５４が基部１０側に形成されており、この長溝部５４の幅は突出部１４の幅より僅かに広く設定されている。
【００３６】
また、長溝部５４は、楔５０の下端側で閉端となっており、長溝部５４を閉塞している部分が、楔５０の上方への抜け止めとしてのストッパ５７を構成している。これにより、楔５０を上取付片２０より上方に引き抜こうとしても、ストッパ５７が突出部１４に当接することにより、それ以上は楔５０を引き抜くことができない。
【００３７】
一方、楔５０の上端側には、長溝部５４の内側面間にピンが架け渡されており、楔５０の下方への抜け止めとしてのストッパ５８を構成している。これにより、楔５０で足場部材Ｐを足場支柱Ｐ２に連結していない状態で、ストッパ５８は突出部１４に当接することにより、それ以上は落下することがない。
【００３８】
さらに、楔５０は、下端側に貫通孔部５５を有しており、この貫通孔部５５は長溝部５４と連通している。
【００３９】
次に、第一実施形態の連結金具１を使用した足場部材Ｐの足場支柱Ｐ２への連結について、図１乃至図４を用いて説明する。まず、図３（ａ）に示すように、楔５０を上孔部２５及び下孔部３５に挿入しない状態で、足場支柱Ｐ２の外周面に固定されたブラケット７０の下方に下取付片３０を位置させながら、上取付片２０をブラケット７０の上端に載置する。
【００４０】
その際、上取付片２０において対向している一対の側面部２１それぞれの下端の一部から下方に突出している一対の突片２７は、ブラケット７０の内側に挿入される。ここで、第一実施形態では突片２７の形状が、外側面が下方に向かって内側に傾斜したテーパ状であるため、この傾斜した外側面がブラケット７０の上端辺と当接することにより、突片２７がブラケット７０の内側に向かって案内されて、ブラケット７０の内部にしっかりと挿入される。突片２７がブラケット７０の内部に挿入されていると、楔５０が上孔部２５及び下孔部３５に挿入されていない段階で、ブラケット７０の上端に載置された状態の上取付片２０に外力が作用しても、ブラケット７０の上端の内周面に突片２７が引掛かるため、上取付片２０がブラケット７０から落下しにくい。このような突片２７の作用により、足場部材Ｐを足場支柱Ｐ２に連結する作業の途中や、足場部材Ｐを足場支柱Ｐ２から取り外す作業の途中で、上取付片２０をブラケット７０の上端に載置した状態で、足場支柱Ｐ２に対して足場部材Ｐを仮留めしておくことができる。
【００４１】
また、その際、図２（ａ）に示すように、楔５０を上孔部２５より上方まで引き上げ、楔５０の貫通孔部５５に突出部１４を挿入することにより、楔５０が落下しないように突出部１４に係止させ、仮置きすることができる。第一実施形態では、突出部１４の先端が基部１０の上端より低く位置しているため、楔５０は基部１０に立て掛けられるように傾斜した状態で、仮置きされる。なお、このように傾斜した状態で仮置きされている楔５０と足場部材Ｐとの間には空隙が存在するため、仮留め状態から足場部材Ｐを足場支柱Ｐ２に連結する作業に移る際に、この空隙に手を差し入れることにより楔５０を掴み易く、作業効率が良い。
【００４２】
次に、図２（ｂ）に示すように、上孔部２５及び下孔部３５に楔５０を挿通する。このとき、楔５０は、図４に示すように、基部１０から突出している突出部１４の外周面に、長溝部５４の内周面を摺動させながら落下するため、楔５０の進行方向は長溝部５４が延びている上下方向に突出部１４によって案内され、斜行することがない。
【００４３】
楔５０が上孔部２５及び下孔部３５を貫通すると、図３（ｂ）に示すように、楔５０と接続片４０との間にブラケット７０が挟持され、連結金具１がブラケット７０に固定される。これにより、連結金具１及びブラケット７０を介して、足場部材Ｐが足場支柱Ｐ２に連結される。
【００４４】
上記のように第一実施形態の連結金具１を使用して足場部材Ｐを足場支柱Ｐ２に連結することにより、次のような第一実施形態の連結構造が構築される。すなわち、横材または斜材としての足場部材Ｐが、外周面に横断面コ字形のブラケット７０が設けられた足場支柱Ｐ２に連結金具１によって連結されている足場部材Ｐの連結構造であって、連結金具１は、足場部材Ｐの端部に取り付けられている基部１０、基部１０の上端から延出しておりブラケット７０の上端に当接している上取付片２０、基部１０の下端から延出しておりブラケット７０の下方に位置している下取付片３０、上取付片２０及び下取付片３０をそれぞれ貫通している上孔部２５及び下孔部３５、上取付片２０と下取付片３０との間で基部１０から突出している突出部１４、上孔部２５及び下孔部３５に挿脱可能で上方に向かって厚みが増すテーパ状を呈している楔５０、及び、楔５０の基部１０側で上下方向に延びており突出部１４を摺動自在に内嵌させている凹状の長溝部５４を有しており、楔５０が、上孔部２５及び下孔部３５を貫通しており、突出部１４が長溝部５４の内部に位置している、連結構造である。
【００４５】
また、第一実施形態の連結構造は、上記構成に加え、上取付片２０は、横断面コ字形を呈している三つの側面部を有し対向している一対の側面部２１が基部１０に固着されていると共に、対向している一対の側面部２１それぞれの下端の一部から下方に突出している一対の突片２７を有しており、上取付片２０において対向している一対の側面部２１間の距離は、ブラケット７０の開口幅と略同一であり、取付片の下端は、突片２７を除きブラケット７０の上端に載置されていると共に、上取付片２０の突片２７はブラケット７０の内部に挿入されている、連結構造である。
【００４６】
更に、上述のように、楔５０は、上取付片２０の対向している一対の側面部２１間の距離より、僅かに小さい幅を有しているため、上記の連結構造において、楔５０の幅はブラケット７０の開口幅に近い大きさとなっている。
【００４７】
本連結構造では、楔５０の幅が、ブラケット７０の開口幅に近い大きさであるため、楔５０の外側面とブラケット７０の内周面の当接によって楔５０の横ずれが抑制されており、楔５０のがたつきが低減された強固な連結構造となっている。
【００４８】
また、上記の連結構造では、楔５０の長溝部５４の幅は、突出部１４の幅より僅かに広く設定されているため、突出部１４が長溝部５４の内周面にほぼ当接している状態である。従って、楔５０の横ずれが、長溝部５４の内周面と突出部１４との当接によっても抑制され、楔５０のがたつきがより有効に抑制された連結構造となっている。
【００４９】
以上のように、第一実施形態の連結金具１によれば楔５０の進行方向が、長溝部５４が延びている上下方向に突出部１４によって案内されるため、楔５０が斜行することがなく、足場部材Ｐを連結する作業効率を向上させることができる。
【００５０】
また、連結金具１では、長溝部５４を利用することで、楔５０の抜け止めであるストッパ５７，５８が簡易に形成されている。つまり、長溝部５４を下端側及び下端側でそれぞれ閉止するという簡易な構成で、長溝部５４に沿って突出部１４が相対的に摺動する範囲が制限されていることにより、楔５０が上下動する範囲が制限されている。
【００５１】
更に、連結金具１を使用した連結構造によれば、上取付片２０がブラケット７０の上端に載置されており、上取付片２０において対向している一対の側面部２１間の距離がブラケット７０の開口幅と略同一であり、且つ、楔５０の幅が一対の側面部間の距離より僅かに小さい。これにより、楔５０の幅はブラケット７０の開口幅に近い大きさとなっており、楔５０の外側面とブラケット７０の内周面の当接によって楔５０の横ずれが有効に抑制されている。
【００５２】
また、本実施形態では、楔５０の下端側で長溝部５４を閉端とすることにより、楔５０の上方への抜け止めとしてのストッパ５７を形成している。仮に、図７を用いて上述した従来の連結金具１００におけるストッパ１５７のように、楔の側面からストッパを突設させた場合、楔がブラケット及び下取付片を通過するためには、ストッパが突設している長さ分だけ楔の幅が制限される。そのため、楔の幅が狭いものとなり、楔の外側面がブラケットの内周面に接触しにくく、横ずれしやすいものとなってしまう。これに対し、本実施形態の楔５０は、側面から突設している部分を有していないため、楔５０の幅を広くすることができる。特に、上記のように、上取付片２０において対向している一対の側面部間の距離をブラケットの開口幅と略同一としているため、楔５０の幅をブラケット７０と略同一とするところまで広げることが可能となっている。
【００５３】
加えて、楔５０の長溝部５４の幅が突出部１４の幅より僅かに広く設定されているため、溝部の内周面と突出部１４との当接によっても、楔５０の横ずれが有効に抑制されている。
【００５４】
また、連結金具１が突片２７を有していることにより、楔５０によって足場部材Ｐが足場支柱Ｐ２に連結されていない段階で、上取付片２０がブラケット７０の上端に載置された状態で、足場部材Ｐを足場支柱Ｐ２に対して仮留めすることができる。
【００５５】
更に、楔５０の下端側に長溝部５４と連通した貫通孔部５５を有していることにより、貫通孔部５５に突出部１４の先端を挿通することで、上孔部２５及び下孔部３５を挿通していない状態の楔５０の姿勢を保持することができる。
【００５６】
続いて、本発明の第二実施形態である連結金具２、及び、連結金具２を使用した連結構造について、図５及び図６を用いて説明する。ここで、第一実施形態と同様の構成については同一の符号を付し、詳細な説明は省略する。
【００５７】
第二実施形態の連結金具２が第一実施形態の連結金具１と相違している点は、主に、基部１０ｂの形状、突出部１４ｂの形状、突出部１４ｂと基部１０ｂとの高さの関係、及び、突片２７ｂの形状である。
【００５８】
第二実施形態の連結金具２では、基部１０ｂは円板状であり、足場部材Ｐの端部を挿入させ、挿入後に溶接等により足場部材Ｐの端部に固着される管状の部材１２を介して、足場部材Ｐに取り付けられている。
【００５９】
突出部１４ｂは、第一実施形態ではブロック状であったのに対し、第二実施形態では細長い平板状であり、基部１０ｂから外方に延出し更に上方に屈曲した縦断面略Ｌ字形を呈している。
【００６０】
また、突出部１４ｂの先端は、基部１０ｂの上端より高く位置している。これにより、楔５０によって足場部材Ｐが足場支柱Ｐ２に連結されておらず、足場部材Ｐが足場支柱Ｐ２に仮留めされている状態で、図５（ａ）及び図６（ａ）に示すように、突出部１４ｂの先端を貫通孔部５５に挿入した楔５０を、横材としての足場部材Ｐの外周面上に横たえるように、仮置きすることができる。
【００６１】
第一実施形態では同様の仮置き状態で、楔５０が基部１０ｂに立て掛けられて傾斜した状態であるため、振動等に起因して楔５０が意図せず上孔部２５及び下孔部３５に挿入されてしまうおそれがあるところ、第二実施形態では、楔５０が足場部材Ｐの外周面上に仮置きされるため、意図せず上孔部２５及び下孔部３５に挿入されてしまうおそれがないものとなっている。
【００６２】
突片２７ｂは、第一実施形態の突片２７ｂより突出長さが小さく、厚さが一定の平板状の簡易な構成である。かかる構成の突片２７ｂによっても、第一実施形態の突片２７と同様に、楔５０が上孔部２５及び下孔部３５を挿通していない状態で、ブラケット７０の上端に載置された上取付片２０の姿勢を保持する作用を、発揮することができる。
【００６３】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００６４】
例えば、上記では、横材としての足場部材に本発明の連結金具を取り付ける場合を例示したが、これに限定されず、足場部材は筋交いなどの斜材であっても良い。
【００６５】
また、摺動性を良好にし、耐摩耗性を高める目的で、楔の外表面、長溝部の内周面、及び、突出部の外表面に、コーティングを施すことができる。
【符号の説明】
【００６６】
１，２  連結金具
１０，１０ｂ  基部
１４，１４ｂ  突出部
２０  上取付片
２１  対向している一対の側面部
２５  上孔部
２７，２７ｂ  突片
３０  下取付片
３５  下孔部
５０  楔
５４  長溝部
５５  貫通孔部
７０  ブラケット
Ｐ  足場部材
Ｐ２  足場支柱
【図１】
2015048677.tif 000003
【図２】
2015048677.tif 000004
【図３】
2015048677.tif 000005
【図４】
2015048677.tif 000006
【図５】
2015048677.tif 000007
【図６】
2015048677.tif 000008
【図７】
2015048677.tif 000009